【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
コンテンツ生成器が伝送器にコンテンツを伝送するステップと、
前記コンテンツ生成器が前記伝送器に、該コンテンツの放送ネットワーク接続を識別し、トランスポートストリームに含まれ、該トランスポートストリームが使用したトランスポートについての情報を伝送するステップと、
前記コンテンツ生成器が前記伝送器に、前記使用されたトランスポートストリームについての情報と単一のトランスポートストリームプログラムによって結び付けられ、前記伝送器の識別子を含む、該コンテンツのメタデータを伝送するステップと、
前記伝送器が、前記コンテンツおよび前記使用されたトランスポートについての情報の伝送に先立って、該伝送器から受信器に前記メタデータを伝送するステップと
を含んでなる方法。
【請求項２】
伝送器が、コンテンツ生成器からコンテンツを受信するステップと、
該伝送器が、接続情報用の記憶装置から、該コンテンツの放送ネットワーク接続を識別し、トランスポートストリームに含まれ、該トランスポートストリームが使用したトランスポートについての情報を受信するステップと、
該伝送器が、コンテンツ記述用の記憶装置から、前記使用されたトランスポートストリームについての情報と単一のトランスポートストリームプログラムによって結び付けられ、前記伝送器の識別子を含む、該コンテンツのメタデータを受信するステップと、
前記伝送器が、前記使用されたトランスポートについての情報と前記メタデータとを相互にリンクするステップと
を含んでなる方法。
【請求項３】
前記コンテンツ記述を受信するステップが、前記接続情報を受信するステップに先立って行われるものである請求項２に記載の方法。
【手続補正２】
【補正対象書類名】明細書
【補正対象項目名】発明の名称
【補正方法】変更
【補正の内容】
【発明の名称】コンテンツ記述情報と接続情報とを提供する方法、記憶媒体および放送システム
【手続補正３】
【補正対象書類名】明細書
【補正対象項目名】０００９
【補正方法】変更
【補正の内容】
【０００９】
場合によっては、実際のコンテンツ情報が利用可能になる時点より前に音声／視覚コンテンツについての情報を持つことが望ましいかもしれない。例えば、このコンテンツ情報は、電子コンテンツガイド（電子プログラミングガイド（electronic programming guide）としても知られる）を作成するために利用できる。しかしながら、既存の放送規格では、コンテンツについての情報とそのコンテンツへの接続方法についての情報との両方を与えるアナウンスストリーム（announcement stream）が伝送される。
【手続補正４】
【補正対象書類名】明細書
【補正対象項目名】００１５
【補正方法】変更
【補正の内容】
【００１５】
これらのトランスポートストリームプログラムは、音声と、映像と、データ（例えば付属データ）とを含むことができ、それらは全て単一トランスポートストリームプログラムにしっかりと結び付いている。ユーザがこのトランスポートストリームプログラムに合わせる（tune）と、受信装置は、音声と映像と関連するデータとを知る。なぜならば、それらは同一のプログラムの一部分としてマークされているからである。付属データは、音声コンテンツ／映像コンテンツとは別々に提供される場合もある。
【手続補正５】
【補正対象書類名】明細書
【補正対象項目名】００２５
【補正方法】変更
【補正の内容】
【００２５】
本発明の一実施態様によれば、制御装置１０６に結合した別々の記憶媒体１１３と１０４とを提供することができ、コンテンツ記述情報２６と接続情報２８とを別々に記憶することができる。本発明の実施態様によっては、接続情報２８用の記憶装置が提供された全てでありうる。従って、接続情報は、後の伝送のために蓄積できる。このような場合には、接続情報に対するテンプレートホルダまたはプレースホルダを記憶装置１０４に記憶することができる。テンプレートは、コンテンツ記述情報、及び／または、音声コンテンツ／映像コンテンツに接続情報をリンクさせるための必要なリンク付け情報を提供できる。
【手続補正６】
【補正対象書類名】明細書
【補正対象項目名】００２６
【補正方法】変更
【補正の内容】
【００２６】
受信システム１６では、受信器回路１１４（例えばＴＶチューナカード）が、トランスポート媒体２２やトランシーバ１１０からコンテンツを受信するよう構成される。受信回路１１４は、受信されたＡ／Ｖコンテンツを受信システムにおいてそのＡ／Ｖコンテンツを処理して提示するためのアプリケーションソフトウェアに送り出すＡ／Ｖデバイスドライバルーチン１３０と結び付けられる場合がある。接続路２０は、インターネット等の別のデータソースとの接続を提供することができる。
【手続補正７】
【補正対象書類名】明細書
【補正対象項目名】００３０
【補正方法】変更
【補正の内容】
【００３０】
接続情報フォーマットの仕様は、トランスポートストリームにおける明確な位置（well-defined location）から接続情報をいかに取得するかを定めることができる。図３を参照して説明すると、トランスポートストリーム３２は、他のデータ３６によって切り離された一連のプログラム識別子（program identifier ：以下、「ＰＩＤ」とよぶ）３４を有するＭＰＥＧ２トランスポートストリームでありうる。ＰＩＤ３４ａはコンテンツ記述を含みうる。ＰＩＤ３４ｃはコンテンツ記述の少なくとも一部と関連した接続情報を提供することができる。従って、接続情報は、関連するコンテンツ記述から隔てられた位置に置かれており、関連するコンテンツ記述より後の時間に提供されることがわかる。
【手続補正８】
【補正対象書類名】明細書
【補正対象項目名】００３３
【補正方法】変更
【補正の内容】
【００３３】
次に図４を参照して説明すると、二重のアナウンス（dual announcements）を伝送するためのソフトウェア４０は、例えば記憶装置１０４に記憶されており、ブロック４２に示すように、制御装置１０６にコンテンツ記述を作成させることができる。ブロック４４に示すように、コンテンツ記述には、接続情報内の識別子へのリンクがロードされうる。そして、ブロック４６に示すように、コンテンツ記述が伝送されうる。本発明の実施態様によっては、コンテンツ記述は、音声コンテンツ／映像コンテンツとは別々に伝送されうる。他の実施態様では、それはその情報と共に伝送されうる。
【手続補正９】
【補正対象書類名】明細書
【補正対象項目名】００３４
【補正方法】変更
【補正の内容】
【００３４】
接続情報が利用可能になると、ブロック４８に示すように、この接続情報は、そのコンテンツ記述のためにすでに提供された識別子にリンクする適切な識別子を使って発展されることができる。場合によっては、制御装置がコンテンツ情報を発展させるのと同時に作成されたテンプレートホルダまたはプレースホルダを接続情報の挿入のために利用することができる。従って、本発明の一実施態様によれば、適切な識別子を使って生成され記憶装置１０４に記憶されたテンプレートへと接続情報をスナップするだけでよい場合がある。そして、ブロック５０に示すように、接続情報は、受信器１６に伝送されうる。